(57)【要約】  エレベータかごにおいては、かご枠の上枠及びかご室の天井のいずれか一方である天井ガイド体側部材に、天井ガイド体が設けられている。上枠及び天井の他方である天井係合部側部材には、天井係合部が設けられている。天井係合部は、エレベータかごの据付時に、天井ガイド体が係合することにより、上枠に対する天井の上下方向への変位を許容しつつ水平方向への変位を規制する。
2009050807.tif 000002
【特許請求の範囲】
【請求項１】
かご床枠と、上記かご床枠の上方に配置された上枠と、上記かご床枠と上記上枠との間に設けられた縦柱とを有するかご枠、及び
上記かご床枠上に設置された上記かご室壁と、上記かご室壁上に設けられた天井とを有するかご室
を備えているエレベータかごにおいて、
上記上枠及び上記天井のいずれか一方である天井ガイド体側部材には、天井ガイド体が設けられており、
上記上枠及び上記天井の他方である天井係合部側部材には、据付時に、上記天井ガイド体が係合することにより、上記上枠に対する上記天井の上下方向への変位を許容しつつ水平方向への変位を規制する天井係合部が設けられていることを特徴とするエレベータかご。
【請求項２】
上記天井ガイド体は、上記天井ガイド体側部材から取り外し可能であることを特徴とする請求項１記載のエレベータかご。
【請求項３】
上記天井ガイド体は、上記天井ガイド体側部材に立設された天井ガイドピンであり、
上記天井係合部は、上記天井係合部側部材に設けられ上記天井ガイドピンが挿入される天井ガイド孔であることを特徴とする請求項１記載のエレベータかご。
【請求項４】
上記天井及び上記かご室壁には、据付時に、上記天井に上記かご室壁を接続するとともに上記天井に対する上記かご室壁の位置決めを行う壁上部位置決め接続機構が設けられていることを特徴とする請求項１記載のエレベータかご。
【請求項５】
かご床枠と、上記かご床枠の上方に配置された上枠と、上記かご床枠と上記上枠との間に設けられた縦柱とを有するかご枠を組み立てる工程、
かご室の天井を上記上枠の下方に吊り上げるとともに、上記上枠及び上記天井のいずれか一方に設けられた天井ガイド体を、上記上枠及び上記天井の他方に設けられた天井係合部に係合させることにより、上記上枠に対する上記天井の水平方向への変位を規制する工程、
上記天井にかご室壁を接続し、上記かご室壁を上記天井から吊り下げる工程、及び
上記天井及び上記かご室を上記かご床枠上に降ろし上記かご床枠に対して接続するとともに、上記天井ガイド体の上記天井係合部への係合を解除する工程
を含むことを特徴とするエレベータかごの据付方法。
【発明の詳細な説明】
【技術分野】
【０００１】
この発明は、かご枠と、かご枠に支持されたかご室とを有するエレベータかご、及びその据付方法に関するものである。
【背景技術】
【０００２】
従来のエレベータかごの据付方法では、まず昇降路内にかご枠が組み立てられる。このとき、かご床は、かご枠の下枠に予め固定されている。次に、かご室の天井が昇降路内に搬入され、かご枠の上枠下方に吊り下げられる。これは、かご室壁を組み立てた後にかご室出入口から天井を搬入するのが困難なためである。天井の搬入後、かご床上にかご室壁が配置され固定される。そして、天井が降ろされ、天井とかご室壁とが締結される（例えば、特許文献１参照）。【０００３】
【特許文献１】特開２００６−１０３９０６号公報
【発明の開示】
【発明が解決しようとする課題】
【０００４】
上記のような従来のエレベータかごでは、かご室壁は複数枚のパネルに分割されていることが多いため、組立後のかご室壁の上部の形状は理想の形から崩れていることが多い。これに対して、従来のエレベータかごの据付方法では、かご室壁を組み立てた後に天井とかご室壁とを締結するため、天井の形状に対してかご室壁の上部の形状が合わず、天井とかご室壁との締結に手間がかかってしまう。このため、ある程度の製作誤差や据付時の組立誤差を考慮し、締結具を挿通する孔を大きめにしているが、場合によっては、かご室壁を強引に捻って天井の形状に強制的に合わせたり、かご室壁の再組立調整を行ったりする必要が生じてしまう。【０００５】
この発明は、上記のような課題を解決するためになされたものであり、かご室を容易に精度良く組み立てることができるエレベータかご及びその据付方法を得ることを目的とする。
【課題を解決するための手段】
【０００６】
この発明によるエレベータかごは、かご床枠と、かご床枠の上方に配置された上枠と、かご床枠と上枠との間に設けられた縦柱とを有するかご枠、及びかご床枠上に設置されたかご室壁と、かご室壁上に設けられた天井とを有するかご室を備え、上枠及び天井のいずれか一方である天井ガイド体側部材には、天井ガイド体が設けられており、上枠及び天井の他方である天井係合部側部材には、据付時に、天井ガイド体が係合することにより、上枠に対する天井の上下方向への変位を許容しつつ水平方向への変位を規制する天井係合部が設けられている。
また、この発明によるエレベータかごの据付方法は、かご床枠と、かご床枠の上方に配置された上枠と、かご床枠と上枠との間に設けられた縦柱とを有するかご枠を組み立てる工程、かご室の天井を上枠の下方に吊り上げるとともに、上枠及び天井のいずれか一方に設けられた天井ガイド体を、上枠及び天井の他方に設けられた天井係合部に係合させることにより、上枠に対する天井の水平方向への変位を規制する工程、天井にかご室壁を接続し、かご室壁を天井から吊り下げる工程、及び天井及びかご室をかご床枠上に降ろしかご床枠に対して接続するとともに、天井ガイド体の天井係合部への係合を解除する。
【図面の簡単な説明】
【０００７】
【図１】この発明の実施の形態１によるエレベータかごを示す斜視図である。
【図２】図１のエレベータかごの据付途中の状態を示す斜視図である。
【図３】図２の上枠の下方に天井を搬入した状態を示す斜視図である。
【図４】図３の天井に左右の側壁を接続した状態を示す斜視図である。
【図５】図４の天井に後壁を接続した状態を示す斜視図である。
【図６】図５の天井に左右の袖壁を接続した状態を示す斜視図である。
【図７】図６の袖壁間に出入口上板を固定した状態を示す斜視図である。
【図８】図７の天井及びかご室壁を幅木台上に降ろした状態を示す斜視図である。
【発明を実施するための最良の形態】
【０００８】
以下、この発明の好適な実施の形態について図面を参照して説明する。
実施の形態１．
図１はこの発明の実施の形態１によるエレベータかごを示す斜視図である。図において、かご枠１は、かご床枠２と、かご床枠２の上方に配置された上枠３と、かご床枠２と上枠３との間に設けられた左右一対の縦柱４ａ，４ｂとを有している。上枠３は、縦柱４ａ，４ｂの上端部間に水平に固定されている。かご床枠２の下部には、非常止め装置１７が固定されている。【０００９】
かご床枠２上には、複数の防振ゴムを有する床防振装置１８を介してかご床５が取り付けられている。かご床５上の幅方向両端部と前後方向後端部とには、幅木（図示せず）を取り付けるための幅木台６が立設されている。【００１０】
幅木台６を含むかご床５上には、かご室壁７が立設されている。かご室壁７は、互いに対向する左右一対の側壁８ａ，８ｂと、後壁９（図５参照）と、後壁９に対向する左右一対の袖壁１０ａ，１０ｂとを有している。側壁８ａ，８ｂ及び後壁９は、それぞれ複数枚の壁パネルを並べて構成されている。また、側壁８ａ，８ｂ及び後壁９の下端部は、それぞれ幅木台６に締結具を介して締結されている。袖壁１０ａ，１０ｂの上端部間には、出入口上板１１が固定されている。【００１１】
かご室壁７の上端部には、天井１２が締結具を介して締結されている。天井１２上には、左右一対の天井振れ止め１３ａ，１３ｂが取り付けられている。各天井振れ止め１３ａ，１３ｂは、縦柱４ａ，４ｂに当接された防振ゴム１４と、天井１２に取り付けられ防振ゴム１４を支持する防振ゴム支持装置１５とを有している。【００１２】
エレベータかごの据付時には、天井１２の上面に天井ガイド体である複数本（ここでは２本）の天井ガイドピン１６が立設される。天井ガイドピン１６は、天井１２の幅方向及び前後方向に互いに間隔をおいて立設される。また、天井ガイドピン１６は、例えばねじ止め等により天井１２に着脱可能に取り付けられ、エレベータかごの据付後には天井１２から取り外される。【００１３】
上枠３には、据付時に天井ガイドピン１６が挿通される天井係合部としての複数の天井ガイド孔３ａが設けられている。天井ガイド孔３ａに天井ガイドピン１６が挿通された状態では、上枠３に対する天井１２の上下方向への変位は許容されるが、上枠３に対する天井１２の水平方向への変位が規制される。また、上枠３の天井ガイド孔３ａの真上には、複数のガイドピン逃がし孔３ｂが設けられている。【００１４】
なお、この例では、天井１２が天井ガイド体側部材であり、上枠３が天井係合部側部材である。【００１５】
かご室壁７の上端部と天井１２との間には、据付時に天井１２にかご室壁７を接続するとともに天井１２に対するかご室壁７の位置決めを行う複数の壁上部位置決め接続機構２１が設けられている。かご室壁７の下端部と幅木台６との間には、据付時に幅木台６に対するかご室壁７の位置決めを行うための複数の壁下部位置決め機構２２が設けられている。【００１６】
次に、エレベータかごの据付方法について説明する。図２は図１のエレベータかごの据付途中の状態を示す斜視図である。エレベータかごの据付作業では、まず、予め昇降路内に設置されたかごガイドレール（図示せず）に対して、非常止め装置１７を水平に装着する。これは、エレベータかごの据付後では、非常止め装置１７の水平調整が困難なためである。【００１７】
この後、工場で予め組み立てられたかご床枠２、かご床５及び床防振装置１８の組立体を非常止め装置１７上に取り付ける。幅木台６には、かご床５に一体に設けられているタイプと、締結具によりかご床５に固定される別体のタイプとがある。別体のタイプでは、幅木台６は、かご床５に対して正確に位置決めされ固定されている。【００１８】
かご床５の組立体を非常止め装置１７に取り付けた後、縦柱４ａ，４ｂを立てかご床枠２又は非常止め装置１７に固定する。この後、縦柱４ａ，４ｂの上端部間に上枠３を固定し、縦柱４ａ，４ｂの上下端部にガイドシュー（図示せず）を取り付けると、かご枠１の組立が完了する。【００１９】
次に、図３に示すように、天井１２をかご枠１の内側に搬入し、天井揚重用ワイヤ１９を介して天井１２を吊り上げ、天井ガイドピン１６を対応する天井ガイド孔３ａに挿入する。この後、図４に示すように、側壁８ａ，８ｂを天井１２に接続する。このとき、まず側壁８ａ，８ｂの隣接する壁パネル同士を接続した後、壁上部位置決め接続機構２１により天井１２に対する位置決めを行いながら側壁８ａ，８ｂを天井１２に接続する。【００２０】
続いて、図５に示すように、側壁８ａ，８ｂと同様に、後壁９を天井１２に接続し、側壁８ａ，８ｂと後壁９とを接続する。さらに、図６に示すように、袖壁１０ａ，１０ｂを天井１２に接続し、側壁８ａ，８ｂと袖壁１０ａ，１０ｂとを接続する。【００２１】
図４〜６の状態では、かご室壁７は、天井１２から吊り下げられており、かご室壁７の下端部と幅木台６との間には隙間ｇ（図４）が設けられている。【００２２】
壁上部位置決め接続機構２１としては、天井１２に設けられた位置決め孔と、かご室壁７の上部に設けられ、位置決め孔に挿入されると位置決め孔からの引き抜きが規制される挿入タイプのクリップとの組み合わせが用いられている。これにより、天井１２に対するかご室壁７の位置決めと接続とを同時に実施することができる。また、壁パネル同士の接続機構にも、位置決め孔と挿入タイプのクリップとの組み合わせを用いることができる。【００２３】
このようなかご室壁７の天井１２への接続作業や壁パネル同士の接続作業は、かご床５上（かご室内）で行うことができる。但し、かご室外に十分な作業スペースを確保できる場合には、これらの接続作業をかご室外で行ってもよいことは勿論である。【００２４】
次に、図７に示すように、袖壁１０ａ，１０ｂの上部間に出入口上板１１を固定する。この後、図８に示すように、天井１２及びかご室壁７をかご床枠２上に降ろしかご床枠２に対して接続する。この例では、壁下部位置決め機構２２により位置決めをしながら、かご室壁７の下端部を幅木台６上に接合させた後、かご室壁７の下端部を締結具により幅木台６に締結する。【００２５】
天井１２及びかご室壁７を下降させる際には、天井ガイドピン１６が天井ガイド孔３ａに沿って摺動されるので、上枠３と天井１２との正しい位置関係が維持される。なお、天井ガイドピン１６の長さは、天井１２の下降距離以上とする。【００２６】
壁下部位置決め機構２２としては、かご室壁７の下端部に設けられた位置決め孔と、幅木台６に設けられ、位置決め孔に挿入される位置決めピンとの組み合わせが用いられている。【００２７】
次に、天井１２の上に作業員が移動し、天井１２とかご室壁７との本締結作業を行うとともに、天井１２に天井振れ止め１３ａ，１３ｂを取り付ける。この後、天井ガイドピン１６を天井１２から取り外す。【００２８】
このようなエレベータかごでは、天井１２に天井ガイドピン１６を設け、上枠３に天井ガイド孔３ａを設けたので、据付時に、天井ガイド孔３ａに天井ガイドピン１６を係合させることにより、上枠３に対する天井１２の水平方向への位置決めを容易に行うことができ、位置決めされた天井１２を基準としてかご室壁７を組み付けることにより、かご室を容易に精度良く組み立てることができる。【００２９】
また、天井ガイドピン１６は、天井１２から取り外し可能であるため、据付後にはかご枠１に対するかご室の水平方向への変位の規制を容易に解除することができる。
さらに、天井ガイド体として天井ガイドピン１６を用い、天井係合部として天井ガイド孔３ａを用いたので、簡単な構成で据付時の上枠３に対する天井１２の水平方向への位置決めを行うことができる。【００３０】
さらにまた、天井１２及びかご室壁７には、据付時に、天井１２にかご室壁７を接続するとともに天井１２に対するかご室壁７の位置決めを行う壁上部位置決め接続機構２１が設けられているので、天井１２に対するかご室壁７の接続及び位置決めも容易に行うことができる。【００３１】
また、実施の形態１のエレベータかごの据付方法では、かご枠１を組み立てた後、天井１２を上枠３の下方に吊り上げるとともに、天井ガイドピン１６を天井ガイド孔３ａに係合させることにより、上枠３に対する天井１２の水平方向への変位を規制するので、上枠３に対する天井１２の水平方向への位置決めを容易に行うことができ、かご室を容易に精度良く組み立てることができる。
さらに、天井ガイドピン１６を天井ガイド孔３ａに係合させた状態で、天井１２にかご室壁７を接続し、かご室壁７を天井１２に支持させるので、上枠３に対するかご室壁７の水平方向への位置決めも容易に行うことができる。【００３２】
さらにまた、天井振れ止め１３ａ，１３ｂを天井１２に取り付ける際にも、天井ガイドピン１６を天井ガイド孔３ａに係合させておくので、振れ止め１３ａ，１３ｂの取付調整を容易にすることができる。【００３３】
なお、上記の例では、天井ガイド体である天井ガイドピン１６を天井１２に、天井係合部である天井ガイド孔３ａを上枠３に設けたが、逆であってもよい。
また、天井ガイド体及び天井係合部は、天井ガイドピン１６及び天井ガイド孔３ａに限定されるものではない。
さらに、上記の例では、壁上部位置決め接続機構２１として、位置決め孔を天井１２に設け、挿入タイプのクリップをかご室壁７に設けたが、逆であってもよい。また、位置決め用の孔とピンとを、接続用の孔とクリップとは別に設けてもよい。
さらにまた、上記の例では、壁下部位置決め機構２２として、位置決め孔をかご室壁７に設け、幅木台６に位置決めピンを設けたが、逆であってもよい。
また、この発明は、かご床５がかご床枠２を兼ねる固定床タイプのエレベータかごにも適用できる。
【図１】
2009050807.tif 000003
【図２】
2009050807.tif 000004
【図３】
2009050807.tif 000005
【図４】
2009050807.tif 000006
【図５】
2009050807.tif 000007
【図６】
2009050807.tif 000008
【図７】
2009050807.tif 000009
【図８】
2009050807.tif 000010
【国際調査報告】
2009050807.tif 000011
2009050807.tif 000012
2009050807.tif 000013